(57)【要約】【課題】  電子体温計において、内部の電子部品を取り外し可能であって、かつ安定して固定可能な取り付け構造を提供する。【解決手段】  体温測定のための電子部品が搭載されたホルダが載置される第１の筺体（１０１）と、前記第１の筺体（１０１）に対して着脱可能に構成された第２の筺体（１０２）と、を備える電子体温計（１００）であって、前記第２の筺体（１０２）は中空構造を有し、該中空構造の内周面には、リブが配されており、該リブは、前記第２の筺体（１０２）が前記第１の筺体（１０１）に装着された状態で、前記ホルダ上に搭載された電子部品の可動範囲を規制するよう構成されていることを特徴とする。【選択図】  図２
2011137669.tif 000002
【特許請求の範囲】
【請求項１】
体温測定のための電子部品が搭載されたホルダが載置される第１の筺体と、前記第１の筺体に対して着脱可能に構成された第２の筺体と、を備える電子体温計であって、
前記第２の筺体は、
外周面の一部が前記第１の筺体の内周面に嵌合するよう構成され、かつ、
前記外周面の一部を前記第１の筺体の内周面に嵌合させる際に、その内周面が前記ホルダの底面に沿って摺動する中空構造を有しており、更に、
前記内周面のうち、前記ホルダの底面に沿って摺動する面と対向する面上にリブを備えており、
前記リブは、
前記外周面の一部が、前記第１の筺体の内周面に嵌合した状態で、前記ホルダの底面から所定の距離に位置することで、前記ホルダ上に搭載された電子部品の少なくとも一部について、その可動範囲を規制することを特徴とする電子体温計。
【請求項２】
前記第１の筺体は、音声出力用の電子部品を取り付ける取り付け部材を更に備え、
前記取り付け部材は、前記第２の筺体の前記外周面の一部を嵌合させる際の挿入方向から、前記音声出力用の電子部品を挿入することで、該音声出力用の電子部品を保持するよう構成されており、
前記リブは、更に、
前記外周面の一部が、前記第１の筺体の内周面に嵌合した状態で、前記音声出力用の電子部品の挿入方向の可動範囲を規制することを特徴とする請求項１に記載の電子体温計。
【請求項３】
前記第２の筺体の前記外周面の一部には突起部が配されており、
前記突起部は、
前記外周面の一部が、前記第１の筺体の内周面に嵌合した状態で、前記ホルダの底面から所定の距離に位置することで、前記ホルダ上に搭載された電子部品の少なくとも一部について、その可動範囲を規制することを特徴とする請求項１に記載の電子体温計。
【発明の詳細な説明】
【技術分野】
【０００１】
本発明は、電子体温計に関するものである。特に筺体が棒状の電子体温計に関する。
【背景技術】
【０００２】
従来より、被検体の体温を測定するための体温計として電子体温計が広く普及している。電子体温計には、通常、温度センサにより検出された温度に基づいて、被検体の体温を算出する回路基板や当該回路基板に電源を供給する電池等が、所定のホルダに取り付けられ、電子体温計内部に搭載されている。また、体温測定の終了を報知するブザー用の部品が電子体温計のハウジング内部に直接取り付けられている。
【０００３】
このうち、電池は消耗品であるため、ユーザによる交換作業が簡単に行えるよう、ホルダに対して着脱可能に取り付けられている。また、回路基板やブザー用の部品等は、電子体温計の組み立て作業を容易にするために、ホルダに対して、あるいはハウジングに対して、嵌め合わせ構造により取り付けられている（つまり、接着材等により固定されているのではなく、取り外し可能に取り付けられている）。
【先行技術文献】
【特許文献】
【０００４】
【特許文献１】特開平１０−４８０６０号公報
【発明の概要】
【発明が解決しようとする課題】
【０００５】
しかしながら、ホルダに取り付けられた回路基板や電池、あるいはハウジング内部に直接取り付けられたブザー用の部品等のいわゆる電子部品は、一般に、外部からの衝撃に弱い。このため、電子部品の取り付けにおいては、外部から衝撃を受けた場合でも、電子部品の取り付け位置がずれることなく安定して固定される取り付け構造であることが望ましい。
【０００６】
本発明は上記課題に鑑みてなされたものであり、電子体温計において、内部の電子部品を取り外し可能であって、かつ安定して固定可能な取り付け構造を提供することを目的とする。
【課題を解決するための手段】
【０００７】
上記の目的を達成するために本発明に係る電子体温計は以下のような構成を備える。即ち、
体温測定のための電子部品が搭載されたホルダが載置される第１の筺体と、前記第１の筺体に対して着脱可能に構成された第２の筺体と、を備える電子体温計であって、
前記第２の筺体は、
外周面の一部が前記第１の筺体の内周面に嵌合するよう構成され、かつ、
前記外周面の一部を前記第１の筺体の内周面に嵌合させる際に、その内周面が前記ホルダの底面に沿って摺動する中空構造を有しており、更に、
前記内周面のうち、前記ホルダの底面に沿って摺動する面と対向する面上にリブを備えており、
前記リブは、
前記外周面の一部が、前記第１の筺体の内周面に嵌合した状態で、前記ホルダの底面から所定の距離に位置することで、前記ホルダ上に搭載された電子部品の少なくとも一部について、その可動範囲を規制することを特徴とする。
【発明の効果】
【０００８】
本発明によれば、電子体温計において、内部の電子部品（特に、交換が必要なボタン形電池）を取り外し可能であって、かつ安定して固定可能な取り付け構造を提供することが可能となる。
【図面の簡単な説明】
【０００９】
【図１】本発明の一実施形態に係る電子体温計１００の外観構成を示す図である。
【図２】電子体温計１００の分解斜視図である。
【図３】電子体温計１００のホルダの分解斜視図である。
【図４】筺体１０２の構成を示す図である。
【図５】筺体１０２の突起部３０１により基板を固定する様子を示した図である。
【図６】筺体１０２のリブ３０２により電池を固定する様子を示した図である。
【図７】筺体１０２のリブ３０３によりブザー用の部材を固定する様子を示した図である。
【図８】筺体１０２を筺体１０１に固定するためのネジ穴を示した図である。
【図９】筺体１０１、１０２のネジ穴とパッキンとの関係を示した図である。
【発明を実施するための形態】
【００１０】
以下、必要に応じて添付図面を参照しながら本発明の各実施形態の詳細を説明する。なお、本発明は以下の実施形態に限定されるものではなく、適宜変更可能であるものとする。
【００１１】
＜１．電子体温計の外観構成＞
図１は、本発明の一実施形態に係る棒状の電子体温計１００の外観構成を示す図である。図１（Ａ）は、電子体温計１００の表側の平面図であり、図１（Ｂ）は、電子体温計１００の裏側の平面図である。
【００１２】
図１（Ａ）において、１０１は電子体温計１００の本体ハウジング（筺体１０１）であり、１０２は電子体温計１００の尾部ハウジング（筺体１０２）である。筺体１０２は、筺体１０１に対して、着脱可能に取り付けられている。
【００１３】
１０３はエンドキャップである。エンドキャップ１０３は、サーミスタなどの感温素子が内蔵された温度計測部に対して被検者の体温が伝導しやすいように、ステンレスなどの金属により被覆されている。１０４は体温測定結果として体温データ等を表示する液晶表示部であり、透明の熱可塑性樹脂で形成された窓部材１０４ａにより覆われている。この窓部材１０４ａは、耐衝撃性の熱可塑性樹脂、例えば、ブチレン・スチレン樹脂で形成された筺体１０１と二色成形され、高い液密性を有している。
【００１４】
また、図１（Ｂ）において、１０５は、筺体１０２を筺体１０１に取り付けた後、ネジ留めするためのねじ穴である。
【００１５】
＜２．電子体温計の内部構成＞
図２は、電子体温計１００の内部構成を説明するための分解斜視図である。図２において、２００はホルダである。ホルダ２００は、温度計測部により計測された温度に基づいて、被検体の体温を算出する回路基板が搭載される回路基板搭載領域２０１と、算出された体温を表示する液晶表示部材が搭載される液晶表示部材搭載領域２０２と、回路基板や液晶表示部材に電源を供給する電池が搭載される電池搭載領域２０３とを備える。
【００１６】
２１０は体温測定の終了を報知する、振動板と圧電素子が一体化されたブザー用の部品であり、筺体１０１のエンドキャップ１０３と反対側の挿入口２２１より矢印に沿って挿入され、筺体１０１の裏側内壁面の取り付け部材（不図示）に直接取り付けられる。これにより、当該ブザー用の部品は、後述の回路基板３０１と電気的に接続されることとなる。
【００１７】
ホルダ２００は、ブザー用の部品２１０が筺体１０１の裏側内壁面に取り付けられた状態で、挿入口２２１より、矢印に沿って挿入され、筺体１０１に取り付けられる。ホルダ２００が筺体１０１に取り付けられた状態では、ボタン形電池搭載領域２０３は、筺体１０１の外部に露出しており、ユーザによる電池交換が容易に行えるように構成されている。
【００１８】
筺体１０２は、ホルダ２００が筺体１０１に取り付けられた状態で、嵌合部２３１が挿入口２２１より矢印に沿って挿入され、筺体１０１に取り付けられる。なお、筺体１０２は、耐衝撃性とネジ山のつぶれ防止のため、熱可塑性樹脂材料（例えば、ハイインパクトスチロール樹脂）により形成されている。嵌合部２３１は中空構造となっており、その外壁は、筺体１０１の内壁に嵌め合わされ、その内壁は、ホルダ２００の電池搭載領域２０３を内挿する。
【００１９】
＜３．ホルダの構成＞
図３は、電子体温計１００のホルダ２００の構成を説明するための図であり、電子体温計１００の裏側から見た様子を示す図である。
【００２０】
図３において、３０１は、温度計測部により計測された温度に基づいて、被検体の体温を算出する回路基板である。３０２は、算出された体温を表示する液晶表示部材である。３０３は、回路基板や液晶表示部材に電源を供給するボタン形電池であり、筺体１０１の長手方向２箇所に取り付けられる。回路基板３０１、液晶表示部材３０２、電池３０３は、それぞれ、回路基板搭載領域２０１、液晶表示部材搭載領域２０２、電池搭載領域２０３に取り付けられる。
【００２１】
＜４．筺体１０２の構成＞
次に、筺体１０２の詳細構成について説明する。図４は、筺体１０２の詳細構成を説明するための図であり、図４（Ａ）は、筺体１０２の平面図を、図４（Ｂ）は、筺体１０２の側面図を、図４（Ｃ）は、挿入口２２１側から見た場合の筺体１０２の側面図をそれぞれ示している。
【００２２】
図４（Ａ）に示すように、筺体１０２の嵌合部２３１の両端には、必要最小限の強度と作用とを考慮して長さ約２．５ｍｍ、高さ約２．５ｍｍ、幅約１ｍｍの突出部４０１が１対設けられている。また、図４（Ｃ）に示すように、筺体１０２の嵌合部２３１は、電池搭載領域２０３が内挿可能なように中空構造となっており（４０２参照）、その底面には高さの異なる２種類のリブ（リブ４０３、４０４）が設けられている。なお、図４（Ｂ）に示すように、リブ４０３、４０４は、中空構造４０２において、挿入方向全体に延びている。
【００２３】
＜５．突出部４０１の機能＞
次に、筺体１０２の嵌合部２３１の両端に設けられた突出部４０１の機能について説明する。図５は、筺体１０２の嵌合部２３１の両端に設けられた突出部４０１の機能を説明するための図である。
【００２４】
なお、図５では、説明をわかりやすくするために、筺体１０１に取り付けられた状態のホルダ２００と、筺体１０１への取り付け前（（Ａ））及び取り付け後（（Ｂ））の筺体１０２を抜き出し、上下を反転して図示している（つまり、図５において、紙面上側は電子体温計１００の表側を、紙面下側は電子体温計１００の裏側をそれぞれ示している）。
【００２５】
図５（Ａ）に示すように、回路基板搭載領域２０１に搭載された回路基板３０１は、ホルダ２００の表側平面５０１から、距離Ｈ２の位置に取り付けられている。また、突出部４０１は、その表側端面５０２が、中空構造４０２の表側壁面５０３から、距離Ｈ１の位置になるように、嵌合部２３１に取り付けられている。なお、距離Ｈ１と距離Ｈ２とは概ね等しいものとする。
【００２６】
このように構成されていることにより、筺体１０２が挿入方向に挿入され、筺体１０２の表側壁面５０３が、ホルダ２００の表側平面５０１に対して摺動した後、所定の位置に到達すると、図５（Ｂ）に示すように、突出部４０１の表側端面５０２は、回路基板３０１の裏側平面と接触することとなる。この結果、回路基板３０１は、電子体温計１００の裏側から表側に向かって抑えられることとなり、ホルダ２００に対して、安定して固定させることが可能となる。つまり、突出部４０１は、回路基板３０１がガタつきなく安定して固定するための機能を有している。
【００２７】
＜６．リブ４０３の機能＞
次に、筺体１０２に設けられたリブ４０３の機能について説明する。図６は、筺体１０２のリブ４０３の機能を説明するための図である。
【００２８】
なお、図６も、図５と同様、説明をわかりやすくするために、筺体１０１に取り付けられた状態のホルダ２００と、筺体１０１への取り付け前（（Ａ））及び取り付け後（（Ｂ））の筺体１０２を抜き出し、上下を反転して図示している（つまり、図６において、紙面上側は電子体温計１００の表側を、紙面下側は電子体温計１００の裏側をそれぞれ示している）。
【００２９】
図６（Ａ）に示すように、電池搭載領域２０３に搭載された２つのボタン形電池３０３は、ホルダ２００の表側平面５０１から、距離Ｈ４の位置に取り付けられている。また、リブ４０３は、中空構造４０２の表側壁面５０３から、距離Ｈ３の位置まで延設している。なお、距離Ｈ３と距離Ｈ４とは等しいものとする。
【００３０】
このように構成されていることにより、筺体１０２が挿入方向に挿入され、筺体１０２の表側壁面５０３が、ホルダ２００の表側平面５０１に対して摺動した後、所定の位置に到達すると、図６（Ｂ）に示すように、リブ４０３が、電池３０３の位置（電子体温計１００の裏側方向に対する位置）を規定することとなる。
【００３１】
なお、電池３０３の位置は、固定部材６０１により固定されているが、ユーザによる電池交換を容易にするために、固定部材６０１の固定領域は、電池３０３の一部のみとなっている。このため、固定部材６０１による固定領域とは異なる領域において、リブ４０３が電池３０３の位置を規定することで、電池３０３は、ホルダ２００に対して、より安定して固定させることが可能となる。つまり、リブ４０３は、電池３０３を安定して固定させるための機能を有している。
【００３２】
なお、図６においては特に示していないが、筺体１０２を表側と裏側とで反転させて挿入させようとした場合、リブ４０３は、ホルダ２００に衝突するように配置されているものとする。これにより、筺体１０２を筺体１０１に取り付ける際に、表側と裏側とを誤って取り付けようとした場合でも（いわゆる、逆挿しと呼ぶ）、リブ４０３がホルダ２００に衝突し、挿入が妨げられることとなる。つまり、リブ４０３は、筺体１０２の逆挿し防止の機能も有している。
【００３３】
＜７．リブ４０４の機能＞
次に、筺体１０２に設けられたリブ４０４の機能について説明する。図７は、筺体１０２のリブ４０４の機能を説明するための図であり、（Ａ）は筺体１０２を筺体１０１に取り付ける前の様子を、（Ｂ）は筺体１０２を筺体１０１に取り付けた後の様子をそれぞれ示している。
【００３４】
図７（Ａ）に示すように、電子体温計１００の筺体１０１の裏側内壁面には、ブザー用の部品２１０を取り付ける取り付け部材７０１が設けられている。取り付け部材７０１は、筺体１０１の裏側内壁面から距離Ｈ６の位置に、挿入口２２１方向に開口した開口部を有するコの字型形状を有している。これにより、ブザー用の部品２１０を当該開口部から挿入させことにより、ブザー用の部品２１０が取り付け部材７０１に取り付けられることとなる。
【００３５】
一方、リブ４０４は、嵌合部２３１が挿入口２２１より挿入され、筺体１０１に取り付けられた状態において、筺体１０１の裏側内壁面から、距離Ｈ５の位置まで延設している。なお、距離Ｈ５と距離Ｈ６とは概ね等しいものとする。
【００３６】
このように構成されていることにより、筺体１０２が挿入方向に挿入され、所定の位置に到達すると、図７（Ｂ）に示すように、リブ４０４が、取り付け部材７０１の開口部を抑えることとなる。この結果、ブザー用の部品２１０は、取り付け部材７０１の開口部から飛び出すことがなくなり、筺体１０１に対して、安定して固定させることが可能となる。つまり、リブ４０４は、ブザー用の部品２１０を安定して固定させるための機能を有している。
【００３７】
＜８．筺体１０２を取り付けるための構成＞
次に、筺体１０２を筺体１０１に取り付け、ねじ留めするための構成について説明する。図８は、筺体１０２を筺体１０１に取り付け、ねじ留めする際に、筺体１０１のねじ穴１０５に対応する位置に設けられたねじ穴８００の構成を説明するための図であり、（Ａ）は筺体１０２を裏側から見た場合の平面図を、（Ｂ）は筺体１０２のＡ−Ａ断面図をそれぞれ示している。
【００３８】
図８（Ａ）に示すように、ねじ穴８００は嵌合部２３１の裏側の面に設けられている。また、ねじ穴８００は、嵌合部２３１が筺体１０１の内壁面に嵌合した際に、嵌合部２３１と筺体１０１の内壁面との間を液密にするためのパッキン８０１よりも挿入方向上流側に設けられている。
【００３９】
また、図８（Ｂ）に示すように、ねじ穴８００の底面は、嵌合部２３１の裏側内壁面に設けられたリブ４０４内に位置している。リブ４０４により筺体１０２は、この部分が他の部分の肉厚より２倍程度厚くなっている。つまり、ねじ穴８００は、嵌合部２３１を貫通しておらず、有底のねじ穴構造となっている。
【００４０】
＜９．ねじ穴８００の機能＞
次に、筺体１０２に設けられたねじ穴８００の機能について説明する。図９は、筺体１０２のねじ穴８００の機能を説明するための図であり、（Ａ−１）は、筺体１０２を筺体１０１に取り付ける前の様子を示しており、（Ａ−２）は、筺体１０２を筺体１０１に取り付けた後の様子を示している。また、（Ｂ−１）は、（Ａ−２）におけるＡ−Ａ断面図であって、筺体１０１と筺体１０２とをねじ留めする前の状態を示しており、（Ｂ−２）は、（Ａ−２）におけるＡ−Ａ断面図であって、筺体１０１と筺体１０２とをねじ留めした後の状態を示している。
【００４１】
図９（Ａ−１）に示すように、筺体１０２の嵌合部２３１には、筺体１０１のねじ穴１０５に対応する位置にねじ穴８００が設けられているため、筺体１０２を筺体１０１に取り付けた際、図９（Ａ−２）に示すように、ねじ穴１０５とねじ穴８００とは重なることとなる。
【００４２】
また、図９（Ｂ−１）に示すように、嵌合部２３１に設けられたねじ穴８００は有底のねじ穴であり、かつ、パッキン８０１に対して、挿入方向上流側に設けられている。このため、図９（Ｂ−２）に示すように、電子体温計１００の内部への液体の流入経路としては、流入経路９０１及び９０２のみとなる。つまり、ねじ穴８００が有底であるため、流入経路９０３及び９０４による電子体温計１００の内部への液体の流入は回避することができる。
【００４３】
また、流入経路９０１及び９０２による電子体温計１００の内部への流入は、パッキン８０１により抑えることができる。つまり、嵌合部２３１において、ねじ穴８００よりも挿入方向下流側に設けたパッキンのみで、電子体温計１００の内部への液体の流入を回避すること可能となる（複数の位置にパッキンを設ける必要がなく、かつ、確実に液密構造を実現することが可能となる）。
【００４４】
なお、図９（Ｂ−１）、（Ｂ−２）に示すねじ９１０は、磁力に吸着するＳＵＳ材により構成されているものとする。また、ねじのピッチ幅を従来のものよりも大きくし、ねじ切れを防止するとともに、ねじ頭を従来のものよりも大きくし、ガタつきを防止したものとなっている。
【符号の説明】
【００４５】
１００・・・電子体温計、１０１・・・筺体、１０２・・・筺体、１０３・・・エンドキャップ、１０４・・・液晶表示部、１０５・・・ねじ穴、２００・・・ホルダ、２０１・・・回路基板搭載領域、２０２・・・液晶表示部材搭載領域、２０３・・・電池搭載領域、２１０・・・ブザー用の部品、２２１・・・挿入口、２３１・・・嵌合部、３０１・・・回路基板、３０２・・・液晶表示部材、３０３・・・電池、４０１・・・突出部、４０２・・・中空構造、４０３・・・リブ、４０４・・・リブ、５０１・・・ホルダの表側平面、５０２・・・突出部の表側端面、５０３・・・中空構造の表側壁面、６０１・・・固定部材、７０１・・・取り付け部材、８００・・・ねじ穴、８０１・・・パッキン、９０１〜９０４・・・流入経路、９１０・・・ねじ
【図１】
2011137669.tif 000003
【図２】
2011137669.tif 000004
【図３】
2011137669.tif 000005
【図４】
2011137669.tif 000006
【図５】
2011137669.tif 000007
【図６】
2011137669.tif 000008
【図７】
2011137669.tif 000009
【図８】
2011137669.tif 000010
【図９】
2011137669.tif 000011